(57)【要約】【課題】  刈払機の伝動軸本体の端部に、連結部を、簡単、短時間、安価に、しかも容易に中心軸を一致させで製造可能とする。【解決手段】  他部材に連結するための連結部２２と、伝動軸本体のパイプ状端部２０ａ内に嵌入される嵌入部２３とを有し、嵌入部２３にはローレット部２４とローレット部２４よりも小径の係止部２５を有する継手体２１を用意し、ローレット部２３を伝動軸本体のパイプ状端部２０ａ内に圧入し、その後、伝動軸本体２０の外径と同寸法の内径を有するダイスを用いた引抜加工により、圧入により拡がったパイプ状端部２０ａをしごき、該パイプ状端部２０ａの外径を電動軸本体２０の中間部と同一外径にすると共にパイプ状端部２０ａを係止部２５に向けて突出させて入り込ませる。【選択図】      図２
2005073666.tif 000002
【特許請求の範囲】
【請求項１】
パイプ状端部を有する伝動軸本体と、一端側に他部材に連結するための連結部を、他端側に前記パイプ状端部内に嵌入される嵌入部を備え、該嵌入部には、断面が非円形状の回転伝達部および嵌入方向前方に位置する部分よりも小径の係止部が形成されている継手体とを備え、
該継手体の嵌入部が前記伝動軸本体のパイプ状端部内に嵌入され、前記回転伝達部が前記パイプ状端部の内面に相対回転不可能に密着すると共に該パイプ状端部の前記係止部に対向する部分が該係止部側に向けて突出していることを特徴とする刈払機の伝動軸。
【請求項２】
前記回転伝達部の外径が前記パイプ状端部の内径より大きく、該回転伝達部が該パイプ状端部内に圧入されていることを特徴とする請求項１記載の刈払機の伝動軸。
【請求項３】
前記回転伝達部の外径が前記パイプ状端部の内径以下であり、該回転伝達部が該パイプ状端部内に嵌入され、該パイプ状端部が半径方向内方に向けて押圧変形せしめられて前記回転伝達部に相対回転不可能に密着していることを特徴とする請求項１記載の刈払機の伝動軸。
【請求項４】
前記パイプ状端部の前記回転伝達部が圧入されて半径方向外方に拡がった拡開部が縮径加工されてその外径が伝動軸本体の中間部の外径以下になっていることを特徴とする請求項２記載の刈払機の伝動軸。
【請求項５】
パイプ状端部を有する伝動軸本体と、一端側に他部材に連結するための連結部を、他端側に前記パイプ状端部内に嵌入される嵌入部を備え、該嵌入部には、断面が非円形状の回転伝達部および嵌入方向前方に位置する部分よりも小径の係止部が形成されている継手体とを用い、
該継手体の回転伝達部を前記伝動軸本体のパイプ状端部内に嵌入して該パイプ状端部の内面に相対回転不可能に密着させ、
前記パイプ状端部の前記係止部に対向する部分を該係止部側に向けて突出させることを特徴とする刈払機の伝動軸の製造方法。
【請求項６】
前記回転伝達部の外径が前記パイプ状端部の内径より大きく、該回転伝達部を該パイプ状端部内に圧入することを特徴とする請求項５記載の刈払機の伝動軸の製造方法。
【請求項７】
前記回転伝達部の外径が前記パイプ状端部の内径以下であり、該回転伝達部を該パイプ状端部内に嵌入し、該パイプ状端部を半径方向内方に向けて押圧変形させて前記回転伝達部に相対回転不可能に密着させることを特徴とする請求項５記載の刈払機の伝動軸の製造方法。
【請求項８】
前記パイプ状端部の前記回転伝達部が圧入されて半径方向外方に拡がった拡開部を縮径加工してその外径を伝動軸本体の中間部の外径以下にすることを特徴とする請求項６記載の刈払機の伝動軸の製造方法。
【請求項９】
前記伝動軸本体の中間部の外径と略同一の内径を有するダイスを用いて、前記パイプ状端部の前記拡開部を前記ダイス内を通過させることにより、該拡開部の外径を前記伝動軸本体の中間部の外径と略同一にすると共に前記パイプ状端部の前記係止部に対向する部分を該係止部側に向けて突出させることを特徴とする請求項８記載の刈払機の伝動軸の製造方法。
【発明の詳細な説明】
【技術分野】
【０００１】
本発明は、２サイクルエンジン等の原動機の動力で刈刃を回転させて雑草等を刈る刈払機における、その原動機の動力を苅刃に伝達する伝動軸に関する。
【背景技術】
【０００２】
刈払機においては、原動機を伝動軸を介して刈刃に連結し、原動機により発生した動力を伝動軸を介して刈刃に伝達して該刈刃を回転させるように構成されている（例えば、特許文献１）。
【０００３】
かかる刈払機の伝動軸は、伝動軸本体と該伝動軸本体の端部に設けられた伝動軸を他部材に連結するためのスプライン軸等からなる連結部とを備えている。伝動軸本体は、この連結部により原動機に直接もしくは中間部材を介して連結され、あるいは、この連結部により刈刃に直接もしくは中間部材を介して連結される。
【０００４】
従来のそのような刈払機の伝動軸は、例えば中実の細長いロッド状の伝動軸本体の端部に、別部品として構成されている上記連結部を溶接により接合したり、あるいは中実の細長いロッド状の伝動軸本体の端部を直接機械加工してそこに連結部を形成したりしていた。
【特許文献１】実開平７−５３２２号公報
【発明の開示】
【発明が解決しようとする課題】
【０００５】
しかしながら、上記別部品の連結部を伝動軸本体に溶接する方法は、溶接の作業が面倒であること、伝動軸に大きなトルクが作用した際溶接部の強度不足により溶接部が破壊して連結部が離脱する恐れがあること、あるいは伝動軸本体と連結部の中心軸を一致させて溶接することが困難であり、軸ズレが生じやすい等の問題がある。
【０００６】
また、上記伝動軸本体の端部を機械加工してそこに直接連結部を形成する方法は、その加工が面倒であると共に加工に時間がかかるという問題がある。
【０００７】
本発明は、上記事情に鑑み、伝動軸本体の端部に、簡単かつ短時間に、しかも高精度で中心軸を一致させて連結部を設けることのできる刈払機の伝動軸およびその製造方法を提供することにある。
【課題を解決するための手段】
【０００８】
本発明に係る刈払機の伝動軸は、上記目的を達成するため、
パイプ状端部を有する伝動軸本体と、一端側に他部材に連結するための連結部を、他端側に前記パイプ状端部内に嵌入される嵌入部を備え、該嵌入部には、断面が非円形状の回転伝達部および嵌入方向前方に位置する部分よりも小径の係止部が形成されている継手体とを備え、
該継手体の嵌入部が前記伝動軸本体のパイプ状端部内に嵌入され、前記回転伝達部が前記パイプ状端部の内面に相対回転不可能に密着すると共に該パイプ状端部の前記係止部に対向する部分が該係止部側に向けて突出していることを特徴とする。
【０００９】
前記回転伝達部は、その外径が前記パイプ状端部の内径より大きく、該回転伝達部が該パイプ状端部内に圧入されていても良いし、外径が前記パイプ状端部の内径以下であり、該回転伝達部が該パイプ状端部内に嵌入され、該パイプ状端部が半径方向内方に向けて押圧変形せしめられて前記回転伝達部に相対回転不可能に密着していても良い。
【００１０】
前記パイプ状端部の前記回転伝達部が圧入されて半径方向外方に拡がった拡開部が縮径加工されてその外径が伝動軸本体の中間部の外径以下になっていても良い。
【００１１】
本発明に係る刈払機の伝動軸の製造方法は、上記目的を達成するため、
パイプ状端部を有する伝動軸本体と、一端側に他部材に連結するための連結部を、他端側に前記パイプ状端部内に嵌入される嵌入部を備え、該嵌入部には、断面が非円形状の回転伝達部および嵌入方向前方に位置する部分よりも小径の係止部が形成されている継手体とを用い、
該継手体の回転伝達部を前記伝動軸本体のパイプ状端部内に嵌入して該パイプ状端部の内面に相対回転不可能に密着させ、
前記パイプ状端部の前記係止部に対向する部分を該係止部側に向けて突出させることを特徴とする。
【００１２】
前記回転伝達部は、その外径が前記パイプ状端部の内径より大きく、該回転伝達部を該パイプ状端部内に圧入しても良いし、外径が前記パイプ状端部の内径以下であり、該回転伝達部を該パイプ状端部内に嵌入し、該パイプ状端部を半径方向内方に向けて押圧変形させて前記回転伝達部に相対回転不可能に密着させても良い。
【００１３】
前記パイプ状端部の前記回転伝達部が圧入されて半径方向外方に拡がった拡開部を縮径加工してその外径を伝動軸本体の中間部の外径以下にしても良い。
【００１４】
さらに、前記伝動軸本体の中間部の外径と略同一の内径を有するダイスを用いて、前記パイプ状端部の前記拡開部を前記ダイス内を通過させることにより、該拡開部の外径を前記伝動軸本体の中間部の外径と略同一にすると共に前記パイプ状端部の前記係止部に対向する部分を該係止部側に向けて突出させても良い。
【発明の効果】
【００１５】
本発明に係る刈払機の伝動軸およびその製造方法によれば、上述のように、パイプ状端部を有する伝動軸本体と、一端側に他部材に連結するための連結部を、他端側にパイプ状端部内に嵌入される嵌入部を有し、該嵌入部が断面非円形状の回転伝達部および嵌入方向前方に位置する部分よりも小径の係止部を有する継手体とを用いて、伝動軸本体のパイプ状端部内に前記回転伝達部を嵌入してパイプ状端部の内面に相対回転不可能に密着させると共に該パイプ状端部の前記係止部に対向する部分を該係止部側に向けて突出させてなるので、その製造に際しては、用意した継手体を、その嵌入部をパイプ状端部内に嵌入し、回転伝達部の嵌入が圧入である場合にはその後単にパイプ状端部の係止部に対向する部分を係止部に向けて突出させるだけで、あるいは単純嵌入（回転伝達部の外径の方がパイプ状端部の内径以下であって嵌入に大きな圧力を要しない嵌入）の場合には、嵌入後パイプ状端部をスウェージング加工等により縮径加工して回転伝達部に密着させると共に係止部に対向する部分を係止部に向けて突出させるだけで良く、従来の伝動軸本体の端部に直接機械加工により連結部を形成したりあるいは別部品の連結部を伝動軸本体の端部に溶接等で接合する場合に比して、極めて簡単に短時間でかつ安価に製造することができると共に、回転伝達部をパイプ状端部内に嵌入して取り付けるので、容易にかつ高精度で両者の中心軸を一致させることができる。
【００１６】
特に、回転伝達部をパイプ状端部に圧入し、ダイスを用いた縮径加工により圧入で拡開したパイプ状端部の外径を伝動軸本体の中間部の外径と同一になるようにすれば、そのダイスを用いた縮径加工のみによって極めて簡単に伝動軸本体の外径の均一化とパイプ状端部の係止部への突出による連結部の抜け防止との双方を実現することができる。
【発明を実施するための最良の形態】
【００１７】
以下、図面を参照しながら本発明の実施の形態について詳細に説明する。
【００１８】
図１は本発明の伝動軸の一実施形態を備えた可搬式の刈払機の要部を示す断面概念図である。図示の刈払機は、操作杆１と、想像線で示す原動機ユニット２と、刈刃ユニット３とで構成されている。
【００１９】
操作杆１は、パイプ状の操作杆本体４と、該操作杆本体４の内部に軸受５を介して回転可能に支持された伝動軸６とで構成されている。操作杆２の先端部（刈刃ユニット３側）には、伝動軸６に連結された傘歯車７が回転可能に支持されており、基端部（原動機ユニット２側）には遠心クラッチ部８が形成されている。
【００２０】
操作杆１の基端側には遠心クラッチ部８を介して上記原動機ユニット２が取り付けられている。原動機ユニット２には、例えば２サイクルエンジン等の回転力を発生させる原動機（不図示）が収容されている。
【００２１】
操作杆１の先端側には上記刈刃ユニット３が取り付けられている。刈刃ユニット３は、ケース９と、該ケース９内に回転可能に支持された刈刃支持軸１０と、この刈刃支持軸１０の基端側に固着された傘歯車１１と、先端側に固着された刈刃１２とを備えており、上記傘歯車１１は上記伝動軸に連結された傘歯車７と噛合している。
【００２２】
次ぎに、上記伝動軸６について更に詳細に説明する。伝動軸６は、内径および外径が軸方向に一様な１．５ｍの細長いパイプからなる伝動軸本体２０と、該伝動軸本体２０の両端に取り付けられた継手体２１とで構成されている。伝動軸本体２０の両端に取り付けられた継手体２１およびその取付態様は同じであるので、以下、伝動軸本体２の刈刃ユニット３側の継手体２１とその取付について説明する。
【００２３】
図２（ａ）は伝動軸本体２０の刈刃ユニット３側の端部２０ａと継手体２１を示す図、図２（ｂ）は図２（ａ）における嵌入部２３の右側面図である。図示のように、伝動軸本体２０は外径が８ｍｍ、内径が６ｍｍの軸方向に一様な断面形状を有する金属製のパイプからなり、端部２０ａは当然パイプ状をなしている。一方、継手体２１は、伝動軸本体２０を他部材である傘歯車７に連結するための連結部２２と、伝動軸本体のパイプ状端部２０ａ内に嵌入して該パイプ状端部２０ａに固着される嵌入部２３とで構成されている。嵌入部２３には、断面が非円形状の回転伝達部２４と、回転伝達部２４の連結部２２側に位置する回転伝達部２４の外径よりも小径の係止部２５と、回転伝達部２４の先端側（連結部２２とは反対の側）に位置する先端ガイド部２６とが形成されている。
【００２４】
なお、上記伝動軸本体２０を構成する金属製のパイプとしては、鋼製のパイプを、さらには機械構造用炭素鋼製のパイプを好適に使用することができる。また、継手体２１も、金属製のものを、さらには合金鋼製のものを好適に使用することができる。また、継手体の回転伝達部２４においては表面に浸炭焼入処理を施すことが望ましい。
【００２５】
連結部２２は、傘歯車７の軸に形成された雌スプラインに嵌合して該傘歯車７に回転を伝える雄スプラインが形成されたスプライン軸により構成され、回転伝達部２４は、周面に形成された互いに平行に軸方向に延びる多数の突条を有する平行ローレットを備えたローレット部により構成されている。
【００２６】
連結部（雄スプライン軸）２２の外径は７．９ｍｍである。回転伝達部（ローレット部）２４は、伝動軸本体のパイプ状端部２０ａ内に圧入されるものであり、その外径はパイプ状端部２０ａの内径６ｍｍよりも大きい６．３〜６．４ｍｍであり、係止部２４の外径は回転伝達部２４の外径よりも小さい５．５ｍｍであり、先端ガイド部２５の外径はパイプ状端部２０ａの内径と同一の６ｍｍである。
【００２７】
次ぎに、継手体２１を伝動軸本体のパイプ状端部２０ａに固着して伝動軸本体２０の端部に連結部２２を設ける方法について説明する。
【００２８】
先ず、継手体２１の回転伝達部であるローレット部２４を伝動軸本体のパイプ状端部２０ａ内に圧入する。その際、係止部２５もパイプ状端部２０ａ内に位置するように圧入する。この圧入はパイプ状端部２０ａの内径と同一の外径を有する先端ガイド部２６を先ずパイプ状端部２０ａ内に嵌入し、これによりパイプ状端部２０ａ即ち伝動軸本体２０とローレット部２４との中心軸を一致させておき、この状態からローレット部２４を圧入するので、圧入後における両者の中心軸は高精度で一致する。圧入によりローレット部２４はパイプ状端部２０ａの内面と密着し両者は中心軸回りに相対回転不可能になる。
【００２９】
上述のようにして圧入すると、ローレット部２４の外径はパイプ状端部２０ａの内径よりも大きく、かつローレット部２４の表面は浸炭焼入れされていてパイプ状端部２０ａよりも硬度が高いので、圧入した状態を示す図３に示されているように、パイプ状端部２０ａのローレット部２４が圧入された部分は半径方向外方に拡がり、その部分の外径は８．２〜８．３ｍｍになる。
【００３０】
ところで、伝動軸本体２０の両端に連結部２２を取り付けて伝動軸６を完成した後、その伝動軸６は操作杆本体４の内部に設けた軸受５内に挿通して操作杆本体４内に配置される。また、伝動軸本体２０は外径が８ｍｍで長さが１．５ｍと非常に細長くしかも８０００〜１２０００ｒｐｍという高速で回転するから回転時の振動やブレが大きく、そのため軸受５の内径は伝動軸本体２０の外径とほぼ等しい内径とし殆ど隙間のない状態で軸受けするように設計されている。従って、上述のようにパイプ状端部２０ａが半径方向外方に拡がっていると、完成した伝動軸６を軸受５内に挿通することができなくなる。
【００３１】
そこで、ローレット部２４の圧入後、図３に示すように、内径８ｍｍのダイス２７を用い、このダイス２７内を拡開したパイプ状端部２０ａを引抜きあるいは押出しにより矢印Ａ方向に通過させ、パイプ状端部２０ａの圧入により拡開した部分をしごいて縮径加工し、その部分の外径も伝動軸本体２０の中間部（パイプ状端部を除く部分）の外径と同じ８ｍｍにすると共に、そのダイス２７を通過させる縮径加工により、縮径と同時に、パイプ状端部２０ａの係止部２５に対向する部分、即ち係止部２５の外側に位置している部分を係止部２５に向けて半径方向内方に突出させて係止部２５に入り込ませる。この状態を図４に示す。
【００３２】
上記のようにして製造した伝動軸６は、ローレット部２４がパイプ状端部２０ａ内に圧入されしかもその後縮径加工により外側から押し付けられているので、ローレット部２４とパイプ状端部２０ａの内面との密着食込みが確実に行われ、大きな回転トルクにも耐えることができると共に、ローレット部２４の隣にはローレット部２４よりも小径の係止部２５が形成され、その係止部２５にパイプ状端部２０ａが突出して入り込んでいるので、軸方向の引張力による継手体２１の抜けに対する強度も十分確保される。即ち回転に対しても抜けに対しても十分な強度を有している。しかも、製造に際しては、単に継手体２１の嵌入部２３をパイプ状端部２０ａ内に圧入し、その後ダイス２７内を通過させるだけで良く、極めて簡単に、短時間で、しかも安価に製造することができると共に、圧入によって両者を組み付けるので容易に両者の中心軸を高精度で一致させることができる。特に、このダイス２７を用いる方法は、ダイス２７を通過させるだけで縮径と抜け防止を同時に行うと共に相対回転防止の確実化を図ることができるので、極めて好都合である。
【００３３】
なお、上記実施形態では、ダイス２７を通過させることにより縮径と係止部２５への突出とを行っているが、この縮径と係止部２５への突出はこれに限らず、種々の方法により行うことができる。例えばパイプ状端部２０ａの拡がった拡開部をスウェージング法により半径方向外方から叩くことにより、該拡開部全体を縮径すると共に係止部２５に対向するする部分を係止部２５内に突出させて入り込ませるようにしても良い。
【００３４】
上記圧入により拡がった拡開部を縮径するに際しては、伝動軸本体２０の中間部の外径と同一の径か、もしくはそれより小さい径にまで縮径することができ、この場合の同一の径とは、厳密に同一の径に限らず、実質的に同一の径とみなし得る程度のものを含む意味である。
【００３５】
次ぎに、他の実施形態について説明する。上述の方法は、継手体の回転伝達部であるローレット部２４をパイプ状端部２０ａ内に嵌入するに際し、ローレット部２４の外径をパイプ状端部２０ａの内径よりも大きくして圧入するものであったが、この嵌入は、必ずしも圧入に限らず、ローレット部２４の外径をパイプ状端部２０ａの内径と等しいかそれより小とし、特に圧力を付与することなく嵌入する単純嵌入によって行うこともできる。
【００３６】
この場合は、例えば図５に示すように、周面に平行ローレットが形成されているローレット部２４の外径をパイプ状端部２０ａの内径と同一の６ｍｍとし、係止部２５の外径をローレット部２４の外径よりも小さい５．５ｍｍとし、先端ガイド部２６の外径を５．７ｍｍとし、それ以外は上述の継手体２１と同様の構成を有する継手体２１を用いる。この様な寸法に形成されたローレット部２４をパイプ状端部２０ａ内に単純嵌入し、次いで、パイプ状端部２０ａの内側にローレット部２４と係止部２５が位置している部分をスウェージング法で外側から叩くことにより、パイプ状端部２０ａの内面をローレット部２４に確実に密着させて食い込ませ、両者を中心軸回りに相対回転不可能にすると共に、係止部２５に対向する部分を係止部２５内に突出させて入り込ませる。これにより、上述の圧入の場合と同様に、確実な相対回転防止と抜け止めを図ることができる。但し、スウェージングによってパイプ状端部２０ａの外径は８ｍｍより少し小さくなるが、８ｍｍ以下であればその後の操作杆の軸受５への挿通も支障無く行え、問題はない。
【００３７】
なお、本実施形態では、連結部２２を雄スプライン軸により構成しているが、この連結部２２は他部材に回転を伝達可能に連結し得るものであればどの様なものでも良く、例えばスプライン軸の一種であるセレーション軸であっても良いし、あるいは断面四角形の角柱軸もしくはネジ部材等であっても良い。
【００３８】
また、本実施形態では、回転伝達部２４を平行ローレット部により構成しているが、この回転伝達部２４は、断面が非円形状であり伝動軸本体のパイプ状端部２０ａ内に嵌入（圧入もしくは単純嵌入）し該パイプ状端部２０ａの内面に密着することにより両者が中心軸回りに相対回転不可能となる形状のものであればどの様な形状のものでも良い。
【００３９】
また、本実施形態では、小径の係止部２５をローレット部２４の連結部２２側に形成しているが、必ずしもその必要はなく、例えばローレット部の中央に形成しても良い。さらには、この係止部２５は、パイプ状端部２０ａ内に嵌入される嵌入部において係止部２５よりも嵌入方向前方（図２において図中右側）に位置する部分の外径よりも小径となるように形成されたものであればどの様なものでも良い。
【００４０】
また、上記実施形態では、伝動軸本体２０としてパイプを用いているが、伝動軸本体２０は少なくとも端部がパイプ状であれば良く、例えば中実のロッドの端部のみパイプ状に形成されているものを使用することも可能である。
【００４１】
また、上記実施形態では、刈刃として円盤状の丸刃を用いているが、刈刃は回転することによって雑草等を刈ることのできるものであればどの様なものでも良く、例えば刈刃支持軸１０の先端に一端が連結された１本もしくは２本の紐状のナイロンコードから成るものであっても良い。
【００４２】
なお、本発明は、嵌入部２３に小径の係止部２５を備え、この係止部２５へのパイプ状端部２０ａの突出入り込みにより抜け防止を図るものであったが、例えばそのような小径の係止部２５を使用せず、ローレット部２４を図６に示すように周面に軸方向に対して斜めに延びる２種類の突条を交差させて形成したあや目ローレットととし、かつこのローレット部２４の外径をパイプ状端部２０ａの内径と同一かもしくはそれより小とし、このローレット部２４をパイプ状端部２０ａ内に単純嵌入し、その後パイプ状端部２０ａをスウェージング等により半径方向外方から内方に向けて叩き、パイプ状端部２０ａの内面をあや目ローレットに密着させて食い込ませる方法を採用することができる。これにより、相対回転防止と抜け止めを同時に達成可能である。
【図面の簡単な説明】
【００４３】
【図１】刈払機の一例を示す断面概略図
【図２】（ａ）は本発明の伝動軸の一実施形態における伝動軸本体を継手体とを分離して示す図、（ｂ）は（ａ）における継手体の嵌入部の右側面図
【図３】伝動軸本体の端部に継手体の嵌入部を圧入した状態を示す図
【図４】嵌入部の圧入により拡がった伝動軸本体の端部を縮径加工した状態を示す図
【図５】本発明の他の実施形態における伝動軸本体と継手体とを分離して示す図
【図６】嵌入部としてあや目ローレットを形成した継手体を示す図
【符号の説明】
【００４４】
１      操作杆
２      原動機ユニット
３      刈刃ユニット
５      軸受
６      伝動軸
７      別部材（傘歯車）
１２    刈刃
２０    伝動軸本体
２０ａ  パイプ状端部
２１    継手体
２２    連結部
２３    嵌入部
２４    回転伝達部
２５    係止部
２７    ダイス
【図１】
2005073666.tif 000003
【図２】
2005073666.tif 000004
【図３】
2005073666.tif 000005
【図４】
2005073666.tif 000006
【図５】
2005073666.tif 000007
【図６】
2005073666.tif 000008